(57)【要約】【課題】本発明は、不正にコピーされた送信データを受け付けないようにすることができ、セキュリティを向上させることができる。【解決手段】本発明は、携帯可能なリモコン端末２００からの要求に応じた内部処理を実行する遊技媒体貸出装置３００であって、リモコン端末２００から受信した第一要求データを第二要求データに変換する第一変換処理部３２２と、第一変換処理部３２２で変換された第二要求データが第二変換処理部２０２ａで変換された場合には、リモコン端末２００から受信した第三要求データが適正な要求データであるか否かを判断する判断部３２３と、判断部３２３で第三要求データが適正な要求データであると判断された場合には、第一要求データに対応する内部処理を実行する内部処理実行部３２４とを備える。【選択図】      図５
2004329366.tif 000002
【特許請求の範囲】
【請求項１】
携帯可能な端末からの要求に応じた内部処理を実行する遊技媒体貸出装置であって、
前記端末から受信した第一要求データを第二要求データに変換するデータ変換処理手段と、
前記データ変換手段で変換された前記第二要求データを前記端末に送信する送信手段と、
前記端末が、前記送信手段から受信した前記第二要求データを第三要求データに変換した場合には、前記端末から前記第三要求データを受信する受信手段と、
前記受信手段で受信された前記第三要求データが適正な要求データであるか否かを判断する判断手段と、
前記判断手段で前記第三要求データが適正な要求データであると判断された場合には、前記第一要求データに対応する内部処理を実行する内部処理実行手段とを有することを特徴とする遊技媒体貸出装置。
【請求項２】
前記判断手段は、前記データ変換処理手段及び前記端末で変換処理が行われた場合には、該変換処理と逆の処理を行うことにより、前記端末から受信した前記第三要求データを第一要求データに戻す逆変換処理手段と、
前記逆変換処理手段で戻された前記第一要求データが予め記憶された基準データと一致する場合には、前記第三要求データが適正な要求データであると判断する適正データ判断手段と
を有することを特徴とする請求項１に記載の遊技媒体貸出装置。
【請求項３】
携帯可能な端末からの要求に応じた内部処理を遊技媒体貸出装置において実行するための遊技媒体貸出システムであって、
前記遊技媒体貸出装置は、前記端末から受信した第一要求データを第二要求データに変換する第一データ変換処理手段を有し、
前記端末は、前記第一データ変換処理手段で変換された前記第二要求データを第三要求データに変換する第二データ変換処理手段を有し、
前記遊技媒体貸出装置は、前記第二データ変換処理手段で変換された前記第三要求データが適正な要求データであるか否かを判断する判断手段と、
前記判断手段で前記第三要求データが適正な要求データであると判断された場合には、前記第一要求データに対応する内部処理を実行する内部処理実行手段とを有することを特徴とする遊技媒体貸出システム。
【請求項４】
前記判断手段は、前記データ変換処理手段及び前記端末で変換処理が行われた場合には、該変換処理と逆の処理を行うことにより、前記端末から受信した前記第三要求データを第一要求データに戻す逆変換処理手段と、
前記逆変換処理手段で戻された前記第一要求データが予め記憶された基準データと一致する場合には、前記第三要求データが適正な要求データであると判断する適正データ判断手段と
を有することを特徴とする請求項３に記載の遊技媒体貸出システム。
【発明の詳細な説明】
【０００１】
【発明の属する技術分野】
本発明は、携帯可能な端末からの要求に応じて、遊技機における遊技に使用する遊技媒体の貸出処理を含む内部処理を実行する遊技媒体貸出装置及び遊技媒体貸出システムに関する。
【０００２】
【従来の技術】
従来より、遊技球を遊技媒体とする遊技機（例えば、パチンコ遊技機）には、遊技媒体貸出装置が配置されている。この遊技媒体貸出装置は、紙幣や硬貨等を受付口から受け付けることにより、遊技球の貸し出しを行うものである（例えば、特許文献１参照）。遊技機と遊技媒体貸出装置とは、一対一で接続されている。
【０００３】
この遊技媒体貸出装置は、リモコン端末からの要求に応じて、遊技媒体貸出装置に配設されている鍵の施錠又は解除等も行うことができる。このため、遊技場の管理者は、上記リモコン端末を用いることにより、遊技媒体貸出装置における操作を外部から簡単に行うことができる。
【０００４】
【特許文献１】
特開２００２−１４３５３９号公報（第３−４頁、第１図）
【０００５】
【発明が解決しようとする課題】
しかしながら、上記リモコン端末と遊技媒体貸出装置との間における通信が、一般的な赤外線を用いて行われるものであるため、第三者は、リモコン端末と遊技媒体貸出装置との間で行われている通信内容を不正にコピーすることができる。これにより、上記第三者は、上記コピーした通信内容を用いて擬似的なリモコン端末を作製し、その作製したリモコン端末を不正に使用することがあった。
【０００６】
そこで、本発明は以上の点に鑑みてなされたものであり、不正に作製されたリモコン端末からのデータに基づく処理を実行しないようにすることのできる遊技媒体貸出装置及び遊技媒体貸出システムを提供することを課題とする。
【０００７】
【課題を解決するための手段】
本願に係る発明は、上記課題を解決するために、携帯可能な端末（例えば、リモコン端末２００）からの要求に応じた内部処理を実行する遊技媒体貸出装置であって、端末から受信した第一要求データ（例えば、送信データＡ）を第二要求データ（例えば、送信データＢ）に変換するデータ変換処理手段（例えば、第一変換処理部３２２）と、データ変換手段で変換された第二要求データを端末に送信する送信手段（例えば、データ送受信部３１４）と、端末が、送信手段から受信した第二要求データを第三要求データ（例えば、送信データＣ）に変換した場合には、端末から第三要求データを受信する受信手段（例えば、データ送受信部３１４）と、受信手段で受信された第三要求データが適正な要求データであるか否かを判断する判断手段（例えば、判断部３２３）と、判断手段で第三要求データが適正な要求データであると判断された場合には、第一要求データに対応する内部処理を実行する内部処理実行手段（例えば、内部処理実行部３２４）とを備えることを特徴とする。
【０００８】
このような本願に係る発明によれば、端末から受信した第一要求データを第二要求データに変換するデータ変換処理手段と、端末が、データ変換処理手段で変換された第二要求データを第三要求データに変換した場合には、端末から受信した第三要求データが適正な要求データであるか否かを判断する判断手段と、判断手段で第三要求データが適正な要求データであると判断された場合には、第一要求データに対応する内部処理を実行する内部処理実行手段とが備えられたため、不正に作製された端末からのデータに基づく処理を実行しないようにすることができる。また、遊技媒体貸出装置のリモート操作を行う操作者の使い勝手を変えることなく、高セキュリティ化を図ることができる。
【０００９】
上記発明において判断手段は、データ変換処理手段及び端末で変換処理が行われた場合には、その変換処理と逆の処理を行うことにより、端末から受信した第三要求データを第一要求データに戻す逆変換処理手段（例えば、逆変換処理部３２３ａ）と、逆変換処理手段で戻された第一要求データが予め記憶された基準データと一致する場合には、第三要求データが適正な要求データであると判断する適正データ判断手段（例えば、適正データ判断部３２３ｂ）とを備えることが好ましい。
【００１０】
これにより、データ変換処理手段及び端末で変換処理が行われた場合には、その変換処理と逆の処理を行うことにより、端末から受信した第三要求データを第一要求データに戻す逆変換処理手段と、逆変換処理手段で戻された第一要求データが基準データと一致する場合には、第三要求データが適正な要求データであると判断する適正データ判断手段とが備えられたため、不正に作製されたリモコン端末からの不正なデータに基づく処理をより確実に実行しないようにすることができる。
【００１１】
すなわち、第三要求データが不正な端末にコピーされた場合であっても、データ変換処理手段及び端末で上記変換処理が未だ行われていなければ、逆変換処理手段は、第三要求データを元の第一要求データに戻すことができない。この場合、適正データ判断手段は、その第三要求データを適正な要求データであると判断しない。この結果、内部処理実行手段は、不正な第三要求データに基づいて該当する内部処理を実行しないようにすることができる。
【００１２】
なお、上記発明においては、端末から第一要求データが受信された時から所定の時間内に、端末から受信された第三要求データが、予め記憶された基準データ（基準判断情報）と一致する第一要求データにデータ逆変換処理手段で戻された場合には、適正データ判断手段は、第三要求データが適正な要求データであると判断してもよい。
【００１３】
これにより、適正データ判断手段が、端末から第一要求データが受信された時から所定の時間内に、端末から受信された第三要求データが、予め記憶された基準データと一致する第一要求データにデータ逆変換処理手段で戻された場合（逆変換）には、適正データ判断手段が、第三要求データを適正な要求データであると判断するため、内部処理実行手段は、所定の時間内に、基準データと一致する要求データに逆変換されない第三要求データに基づく内部処理を実行しないようにすることができる。
【００１４】
この結果、第三要求データが不正な端末にコピーされたとしても、そのコピーされた時から所定の時間が経過している場合には、内部処理実行手段は、その不正な第三要求データに基づく内部処理を行わないようにすることができ、更にセキュリティを向上させることができる。
【００１５】
なお、第一要求データが、遊技媒体貸出装置に配設された鍵の施錠／解除、又は遊技媒体貸出装置をリセットさせるためのコマンドであり、内部処理実行手段は、判断手段で第三要求データが適正な要求データであると判断された場合には、第一要求データに基づいて遊技媒体貸出装置に配設された鍵の施錠／解除、又は遊技媒体貸出装置のリセットを実行させるための内部処理を行っても良い。
【００１６】
この場合には、判断手段で第三要求データが適正な要求データであると判断された場合には、内部処理実行手段が、第一要求データに基づいて遊技媒体貸出装置に配設された鍵の施錠／解除、又は遊技媒体貸出装置のリセットを実行させるための内部処理を行うため、内部処理実行手段は、不正なデータに基づいて鍵の施錠／解除、又は遊技媒体貸出装置のリセットを実行させるための内部処理を行わないようにすることができる。この結果、管理者は、不正なデータに基づいて遊技に関係する操作（例えば、遊技球を払い出しする操作等）を試みようとする者をより確実に排除することができる。
【００１７】
なお、逆変換処理手段は、第三要求データの桁数が所定の基準桁数（例えば、第一要求データの桁数）を越えているときに、データ変換処理手段及び端末で行われた変換処理と逆の処理を行うことにより、端末から受信した第三要求データを第一要求データに戻してもよい。
【００１８】
【発明の実施の形態】
（遊技媒体貸出装置の基本構成）
本発明に係る発明について図面を参照しながら説明する。図１は、遊技機台島１の前面を示す図である。この遊技機台島１の前後面（後面は省略する）には、所定の台数の遊技機４００と、これら各遊技機４００に対して設けられる遊技媒体貸出装置３００とがそれぞれ配置されている。なお、遊技機４００は、弾球式遊技機（例えば、パチンコ遊技機）、回胴式遊技機（例えば、スロットマシン）、遊技場に配設されているゲーム機等が挙げられる。
【００１９】
図２（ａ）は、ボタン式のリモコン端末２００の正面側を示す図である。図２（ａ）の正面側には、識別子が付された複数のボタン２０４ａと、ボタン２０４ａが押された際には、そのボタン２０４ａに付された識別子（例えば、”０”等）の送信の開始指示を行う送信開始ボタン２０４ｂとが備えられている。
【００２０】
図２（ｂ）は、ダイヤル式のリモコン端末２００の正面側を示す図である。図２（ｂ）の正面側には、複数の識別子が円周上に付されたダイヤル２０４ｃと、送信する識別子を決定するための窓２０４ｄと、窓２０４ｄ内にある識別子の送信の開始指示を行う送信開始ボタン２０４ｅとが備えられている。
【００２１】
リモコン端末２００は、図２（ａ），図２（ｂ）のいずれかを用いることができる。なお、リモコン端末２００は、図２に示すリモコン端末２００以外の端末（例えば、携帯電話機等）であってもよい。また、リモコン端末２００は、操作者の操作意思を検出するものであればよく、例えば、外部からの振動（操作者がリモコン端末を振る等）により、操作者の操作意思を検出してもよい。すなわち、リモコン端末２００は、ボタン形態である必要はない。
【００２２】
図３は、本実施形態に係る遊技媒体貸出装置３００の配置関係を示す斜視図である。図３に示すように、遊技媒体貸出装置３００は、遊技機４００の左側に配設されている。遊技媒体貸出装置３００は、携帯可能なリモコン端末２００からの要求に応じた内部処理を実行するものである。
【００２３】
この内部処理には、リモコン端末２００からの要求に応じて、遊技媒体貸出装置３００の正面側に設けられた扉の施錠／解除を実行させるための処理、又は遊技媒体貸出装置３００の内部を初期状態に戻させるためのリセット処理が含まれる。なお、内部処理には、貨幣等の投入により、遊技機４００における遊技に使用する遊技媒体（例えば、パチンコ球、メダル）の貸出を行わせる処理等が含まれてもよい。
【００２４】
図４は、遊技媒体貸出装置３００の正面側を示す図である。図４に示すように、遊技媒体貸出装置３００の正面側には、遊技者が不正な操作をしたことを知らせる警告ランプ３０１と、遊技媒体貸出装置３００の内部動作が正常に機能していないこと知らせるエラー表示ランプ３０２と、硬貨（例えば、５００円玉）の投入を受け付ける硬貨投入口３０３と、硬貨投入口３０３から投入された硬貨を返却する硬貨返却口３０５とが備えられている。
【００２５】
また、遊技媒体貸出装置３００の正面側には、現在の遊技媒体貸出装置３００における処理状況を表示すると共に、内外にある送受信部から送出されるデータの受け入れをするステータス表示部・通信用窓３０６と、紙幣（例えば、１０００円紙幣）の投入を受け入れ、又は投入された紙幣を返却する紙幣挿入・返却口３０７と、カードの挿入を受け入れ、又は挿入されたカードを返却するカード挿入・返却口３０８と、鍵の回転動作により、遊技媒体貸出装置３００の前面にある扉の施錠・解除又は遊技媒体貸出装置３００の内部動作をリセットするロック・リセット鍵部３０９とが備えられている。
【００２６】
図５は、本実施形態に係る遊技媒体貸出システムの内部構造を示す図である。この遊技媒体貸出システムには、リモコン端末２００と、遊技媒体貸出装置３００と、遊技機４００とが含まれている。図５に示すように、リモコン端末２００は、データ送受信部２０１と、ＣＰＵ２０２と、第二変換情報テーブル記憶部２０３と、操作部２０４と、送信データ記憶部２０５とを備える。
【００２７】
データ送受信部２０１は、データ送受信部２０１とデータ送受信部３１４との間でデータを送受信するものである。なお、データ送受信部２０１は、データの送受信を、例えば、赤外線を用いて行うことができる。操作部２０４は、遊技場の管理者等からの操作指示を受け付けるものである。この操作部２０４には、上記図２を用いて説明したボタン２０４ａ、送信開始ボタン２０４ｂ（又は、ダイヤル２０４ｃ、窓２０４ｄ、送信開始ボタン２０４ｅ）等が配設されている。送信データ記憶部２０５は、リモコン端末２００から遊技媒体貸出装置３００に送信する送信データを記憶するものである。
【００２８】
この送信データ（要求データ）には、図２に示す整数又はアルファベット等の識別子が対応付けられている。この送信データ（要求データ）は、遊技媒体貸出装置３００又は遊技機４００における内部処理を実行せるためのコマンドであり、例えば、識別子Ａに対応付けられる送信データＡは、遊技媒体貸出装置３００に配設された鍵の施錠を解除させるためのコマンドが挙げられる。
【００２９】
後述するＣＰＵ２０２は、操作部２０４で選択された識別子に対応付けられた送信データを、送信データ記憶部２０５から読み出し、データ送受信部２０１は、ＣＰＵ２０２で読み出された送信データをリモコン端末情報として遊技媒体貸出装置３００に送信する。なお、第一要求データ、第二要求データ及び第三要求データは、本実施形態では、それぞれ送信データＡ、送信データＢ及び送信データＣに対応する。
【００３０】
ここで、図６（ａ）は、「リモコン端末側」におけるリモコン端末情報、遊技媒体貸出装置情報及び第二変換情報の内容を示す図である。図６（ｂ）は、「遊技媒体貸出装置側」におけるリモコン端末情報、遊技媒体貸出装置情報及び第一変換情報の内容を示す図である。
【００３１】
リモコン端末情報には、リモコン端末２００から遊技媒体貸出装置３００に送信する送信情報及び送信データが含まれる。遊技媒体貸出装置情報には、遊技媒体貸出装置３００からリモコン端末２００に送信する送信情報及び送信データが含まれる。
【００３２】
上記送信情報は、リモコン端末２００と遊技媒体貸出装置３００との間で行われるデータの送信順序を二進数で示したフラグである。図６に示すように、例えば、リモコン端末２００から遊技媒体貸出装置３００へ送信データＡ（第一要求データ）を最初に送信する際には、その送信データＡが、一番最初に送信される送信データであるため、その送信データに付加される送信情報は、”００”となる。
【００３３】
本実施形態では、リモコン端末２００から遊技媒体貸出装置３００へ最初に送信データが送信されるものとする。従って、図６（ａ）に示す送信情報”００”は、リモコン端末２００から遊技媒体貸出装置３００に最初に送信される送信データＡに付加される。リモコン端末２００は、図６（ａ）に示すように、例えば、送信情報”００”と送信データＡとを含むリモコン端末情報を該当する遊技媒体貸出装置３００に送信する。
【００３４】
また、図６（ａ）に示すように、リモコン端末２００が遊技媒体貸出装置３００に最初に送信データを送信するため、初期段階のリモコン端末２００側では、遊技媒体貸出装置３００からリモコン端末２００に送信される送信情報と送信データとを含む遊技媒体貸出装置情報は未だ送信されていない。このため、図６（ａ）に示す「遊技媒体貸出装置情報」の最上段部には、未送信マーク”−”が付されている。
【００３５】
一方、リモコン端末２００から最初の送信情報”００”と送信データＡとを含むリモコン端末情報を受信した遊技媒体貸出装置３００は、受信したリモコン端末情報（信情報”００”，送信データＡ）に基づいて、送信データＢ（第二要求データ）を送信する。
【００３６】
この場合には、その送信データＢが、最初の送信データＡの次に送信する”二番目のデータ”であるため、その送信データＢに付加される送信情報は、”０１”（二番目の送信処理であることを示すフラグ）となる。遊技媒体貸出装置３００は、図６（ｂ）に示すように、遊技媒体貸出装置３００からリモコン端末２００に送信する遊技媒体貸出装置情報の中に、送信情報”０１”と送信データＢとを設定し、その設定後の遊技媒体貸出装置情報をリモコン端末２００に送信する。
【００３７】
同様にして、遊技媒体貸出装置３００から上記送信情報”０１”と上記二番目の送信データＢとを含む遊技媒体貸出装置情報（図６（ａ）の「遊技媒体貸出装置情報」の箇所を参照）を受信したリモコン端末２００は、受信した遊技媒体貸出装置情報（送信情報”０１”，送信データＢ）に基づいて、送信データＣ（第三要求データ）を送信する。
【００３８】
この場合には、その送信データＣが、二番目の送信データＢの次に送信する”三番目のデータ”であるため、その送信データＣに付加される送信情報は、”１０”（三番目の送信処理であることを示すフラグ）となる。この場合、リモコン端末２００は、図６（ａ）に示すように、リモコン端末２００から遊技媒体貸出装置３００に送信するリモコン端末情報の中に、送信情報”１０”と送信データＣとを設定し、その設定後のリモコン端末情報（送信情報”１０”，送信データＣ）をリモコン端末２００に送信する。
【００３９】
リモコン端末２００からリモコン端末情報（送信情報”１０”，送信データＣ）を受信した遊技媒体貸出装置３００は、受信したリモコン端末情報（図６（ｂ）の「リモコン端末情報」の箇所を参照）に基づいて、遊技媒体貸出装置３００に含まれる送信データＣを第一送信データＡに戻す。上記一連の動作は後述で詳述する。
【００４０】
なお、上記送信データＢは、図６（ｂ）に示す第一変換情報αに従って、送信データＡを変換したデータを意味する。また、上記送信データＣは、図６（ａ）に示す第二変換情報βに従って、送信データＢを変換したデータを意味する。これらの送信データＢ及び送信データＣの変換処理については後述で説明する。
【００４１】
第二変換情報テーブル記憶部２０３は、第二変換情報テーブルを記憶するものである。図８は、第二変換記憶テーブルの内容を示す図である。図８に示すように、第二変換情報テーブルには、遊技媒体貸出装置３００から送信される送信情報（例えば、”０１”）と、送信情報に対応付けられた第二変換情報とが含まれる。
【００４２】
上述したように、送信情報は、リモコン端末２００と遊技媒体貸出装置３００との間で行われるデータの送信順序を二進数で示したものである。第二変換情報テーブルに含まれる送信情報”０１”は、上記二番目の送信データＢに付加されるフラグを意味するものである。
【００４３】
遊技媒体貸出装置３００から送信される送信情報”０１”に対応付けられる第二変換情報は、送信情報”０１”に付加されるデータを異なる送信データＣに変換するための情報（例えば、β）を意味するものである。この変換は、後述する第二変換処理部２０２ａが実行する。
【００４４】
この第二変換情報は、例えば、遊技媒体貸出装置３００から送信された送信データ（上記二番目のデータＢ）を特定の数値で乗算するための情報（β）、遊技媒体貸出装置３００から送信された送信データ（上記二番目のデータＢ）を特定の数値で除算するための情報（γ；図示せず）、又は遊技媒体貸出装置３００から送信された送信データ（上記二番目のデータＢ）に特定の数値を加算するための情報（σ；図示せず）等が挙げられる。なお、第一変換情報は、遊技媒体貸出装置３００から送信された送信データ（上記二番目のデータＢ）を異なる送信データに変換させないようにするための情報（何も行わせないようにする情報）であってもよい。
【００４５】
ＣＰＵ２０２は、リモコン端末２００の全体を管理するものである。このＣＰＵ２０２は、図５に示すように、第二変換処理部２０２ａを備える。第二変換処理部２０２ａは、第一変換処理部３２２で変換された第二要求データ（例えば、送信データＢ）を第三要求データ（例えば、送信データＣ）に変換する第二変換処理手段である。
【００４６】
具体的には、図８に示すように、遊技媒体貸出装置３００から上記送信情報”０１”及び上記二番目の送信データＢがデータ送受信部２０１で受信された場合には、第二変換処理部２０２ａは、その送信情報”０１”に対応付けられた第二変換情報”例えば、β”を、第二変換情報テーブルの中から読み出す。
【００４７】
第二変換情報”β”を読み出した第二変換処理部２０２ａは、読み出した第二変換情報”β”に従って、受信された上記二番目の送信データＢを異なる送信データＣに変換する。
【００４８】
例えば、第二変換情報”β”が、遊技媒体貸出装置３００から送信された送信データＢ（上記二番目のデータ）を特定の数値で乗算するための情報である場合には、第二変換処理部２０２ａは、データ送受信部２０１で受信された送信データＢを特定の数値で乗算し、乗算した後のデータを送信データＣとする。
【００４９】
この送信データＣに変換した第二変換処理部２０２ａは、図６（ａ）に示すように、リモコン端末情報における送信情報の箇所を”１０”（三番目の送信処理であることを示すフラグ）に設定する。データ送受信部２０１は、設定された送信情報”１０”と変換された送信データＣとをリモコン端末情報として該当する遊技媒体貸出装置３００に送信する。
【００５０】
このリモコン端末２００からリモコン端末情報（送信情報”１０”，送信データＣ）を受信した遊技媒体貸出装置３００は、受信したリモコン端末情報に基づいて、そのリモコン端末情報に含まれる送信データＣを第一送信データＡに戻すこの詳述は後述で説明する。
【００５１】
前記遊技媒体貸出装置３００は、図５に示すように、貨幣投入検知センサ３１０と、カード投入検知センサ３１１と、紙幣識別機３１２と、カードリードライタ３１３と、データ送受信部３１４と、ＲＯＭ３１５と、ＲＡＭ３１６と、施錠部３１７と、スピーカ３１８と、第一変換情報テーブル記憶部３１９と、逆変換情報テーブル記憶部３２０と、ＣＰＵ３２１とを備える。
【００５２】
貨幣投入検知センサ３１０は、紙幣投入・返却口３０８から投入された紙幣（例えば、１０００円紙幣）、又は硬貨（例えば、５００円硬貨）を検知するものである。紙幣識別機３１２は、貨幣投入検知センサ３１０で検知された紙幣が正規の紙幣であるか否かを識別するものである。
【００５３】
カード投入検知センサ３１１は、カード挿入・返却口３０８から挿入されたカード（図示せず）を検知するものである。このカードは、有価価値（例えば、１０００円）の大きさを示す有価価値情報を記憶する。カードリードライタ３１３は、カード投入検知センサ３１１でカードの挿入が検知された場合に、検知されたカードに記憶された有価価値情報を読み出すものである。また、有価価値情報に対応する遊技球が貸し出された場合には、カードリードライタ３１３は、残りの有価価値情報をカードに記憶させる。
【００５４】
上記紙幣識別部３１２で挿入された紙幣が正規の紙幣であると識別された場合、貨幣投入検知センサ３１０で硬貨が検知された場合、又はカードリードライタ３１３で有価価値情報が読み込まれた場合には、後述するＣＰＵ３２１は、紙幣、硬貨又は有価価値情報に対応する有価価値の大きさを特定し、特定した有価価値の大きさに相当する遊技媒体を払い出させるための命令コマンドを遊技機４００に送信する。
【００５５】
遊技機４００は、ＣＰＵ３２１から受信した命令コマンドに基づいて、有価価値の大きさに相当する遊技媒体（例えば、パチンコ球）を払い出す。なお、ＣＰＵ３２１は、警告ランプ３０１、エラー表示ランプ３０２、ステータス表示部・通信用窓３０６等の制御も行う。
【００５６】
データ送受信部３１４は、リモコン端末２００と遊技媒体貸出装置３００との間でデータの送受信を行うものである。施錠部３１７は、ＣＰＵ３２１からの指示に基づいて、遊技媒体貸出装置３００の前面にある扉の施錠・解除又は遊技媒体貸出装置３００の内部動作をリセットするものである。スピーカ３１８は、ＣＰＵ３２１からの指示に基づいて、遊技媒体貸出装置３００の内部動作が異常であることを知らせるものである。
【００５７】
第一変換情報テーブル記憶部３１９は、第一変換情報テーブルを記憶するものである。図７は、第一変換記憶テーブルの内容を示す図である。図７に示すように、第一変換情報テーブルには、リモコン端末２００から送信される送信情報（例えば、”００”）と、送信情報に対応付けられた第一変換情報とが含まれる。
【００５８】
上述したように、送信情報は、リモコン端末２００と遊技媒体貸出装置３００との間で行われるデータの送信順序を二進数で示したものである。この第二変換情報テーブルに含まれる送信情報”００”は、リモコン端末２００から遊技媒体貸出装置３００に送信される最初の送信データに付加されるフラグを意味する。
【００５９】
この送信情報”００”に対応付けられる第一変換情報は、図７に示すように、送信情報”００”に付加される送信データを異なる送信データに変換するための情報（例えば、α）を意味するものである。後述する第一変換処理部３２２は、例えば、第一変換情報αに従って、送信情報”００”に対応付けられた送信データＡを送信データＢに変換する。
【００６０】
この第一変換情報は、例えば、リモコン端末２００から送信された送信データＡ（上記最初の送信データ）に特定の数値を加算するための情報（α）、リモコン端末２００から送信された送信データＡ（上記最初のデータ）を特定の数値で乗算するための情報、又はリモコン端末２００から送信された送信データＡ（上記最初のデータ）を特定の数値で除算するための情報等が挙げられる。なお、第一変換情報は、リモコン端末２００から送信された送信データ（上記最初のデータ）を異なる送信データに変換させないようにするための情報（何もしないようにさせるための情報）であってもよい。
【００６１】
逆変換情報テーブル記憶部３２０は、逆変換情報テーブルを記憶するものである。図９は、逆変換情報を含む逆変換情報テーブルの内容を示す図である。この逆変換情報は、第一変換情報又は第二変換情報とは逆の手順に従って、リモコン端末２００から送信された三番目の送信データを元の送信データに戻すための情報である。
【００６２】
従って、逆変換情報テーブルには、第一変換情報テーブル記憶部３１９及び第二変換情報テーブル記憶部２０３のそれぞれに記憶される第一変換情報及び第二変換情報とは逆の情報が記憶される。
【００６３】
図９に示すように、例えば、第二変換情報テーブル記憶部２０３に第二変換情報（β）が記憶される場合には、その第二変換情報（β）とは逆の情報である「最初に用いる逆変換情報（β）」が逆変換情報テーブルに記憶される。また、第一変換情報テーブル記憶部３１９に第一変換情報（α）が記憶される場合には、その第一変換情報（α）とは逆の情報である「二回目に用いる逆変換情報（α）」が逆変換情報テーブルに記憶される。
【００６４】
ＣＰＵ３２１は、遊技媒体貸出装置３００の全体を管理するものである。このＣＰＵ３２１は、第一変換処理部３２２と、逆変換処理部３２３ａとを備える。第一変換処理部３２２は、リモコン端末２００から受信された最初の第一要求データ（例えば、送信データＡ）を第二要求データ（例えば、送信データＢ）に変換するデータ変換処理手段（又は、第一データ変換処理手段）である。
【００６５】
具体的には、図７に示すように、データ送受信部３１４が、リモコン端末２００から送信された送信情報”００”及び送信データＡを含むリモコン端末情報を受信した場合には、第一変換処理部３２２は、その送信情報”００”に対応付けられた第一変換情報（α）を、第一変換情報テーブルの中から読み出す。ここで、送信情報”００”は、上記の如く、リモコン端末２００から遊技媒体貸出装置３００に送信される最初の送信データＡに付加されるものである。
【００６６】
この第一変換情報（α）を読み出した第一変換処理部３２２は、読み出した第一変換情報（α）に従って、受信された上記送信データＡを送信データＢに変換する。例えば、第一変換情報（α）が、リモコン端末２００から送信された送信データ（上記最初のデータ）に特定の数値を加算するための情報である場合には、第一変換処理部３２２は、受信された上記送信データＡに特定の数値を加算し、加算した後の送信データを送信データＢとする。
【００６７】
この送信データＢに変換した第二変換処理部２０２ａは、図６（ｂ）に示すように、遊技媒体貸出装置情報における送信情報の箇所を”０１”（二番目の送信処理であることを示すフラグ）に設定する。データ送受信部２０１は、設定された送信情報”０１”と変換された送信データＢとを遊技媒体貸出装置情報として該当するリモコン端末２００に送信する。
【００６８】
判断部３２３は、リモコン端末２００が第一変換処理部３２２で変換された第二要求データ（例えば、送信データＢ）を第三要求データ（例えば、送信データＣ）に変換した場合には、そのリモコン端末２００から受信した第三要求データが適正な要求データであるか否かを判断する判断手段である。この判断部３２３は、本実施形態では、逆変換処理部３２３ａと、適正データ判断部３２３ｂとを備えている。
【００６９】
逆変換処理部３２３ａは、第一変換処理部３２２及び第二変換処理部２０２ａで変換処理が行われた場合には、その変換処理と逆の処理を行うことにより、リモコン端末２００から受信した第三要求データ（例えば、送信データＣ）を第一要求データ（例えば、送信データＡ）に戻す逆変換処理手段である。
【００７０】
この逆変換処理部３２３ａは、第一変換処理部３２２及び第二変換処理部２０２ａで設定される送信情報（フラグ）を参照することにより、第一変換処理部３２２及び第二変換処理部２０２ａで変換処理が行われたか否かを確認することができる。
【００７１】
具体的には、リモコン端末２００から送信データＣが受信された場合には、逆変換処理部３２３ａは、受信された送信データＣに送信情報”１０”が付加されているか否かを確認する。また、リモコン端末２００から送信データＣが受信された場合には、逆変換処理部３２３ａは、前に、第一変換処理部３２２で送信情報”０１”が送信データＢに付加されたか否かを確認する。そして、送信情報”０１”及び送信情報”１０”のそれぞれが送信データＢ及び送信データＣに付加されている場合には、逆変換処理部３２３ａは、第一変換処理部３２２及び第二変換処理部２０２ａで変換処理が行われたと判断する。
【００７２】
この変換処理が行われたと判断した逆変換処理部３２３ａは、図９に示す逆変換テーブルの中から、「最初に用いる逆変換情報（β）」を読み出す。ここで、上記の如く、第二変換情報テーブル記憶部２０３に第二変換情報（β）が記憶される場合には、その第二変換情報（β）とは逆の情報である「最初に用いる逆変換情報（β）」が逆変換情報テーブルに記憶される。
【００７３】
上記最初に用いる逆変換情報（β）を読み出した逆変換処理部３２３ａは、第二変換情報βとは逆の手順に従って、リモコン端末２００から送信された送信データＣ（第三要求データ）を一つ前の送信データＢに戻す。
【００７４】
例えば、第二変換情報βが、遊技媒体貸出装置３００から送信された送信データＢ（上記二番目のデータ）を特定の数値で乗算するための情報であり、送信データＣが、その第二変換情報βに従って送信データＢから変換（送信データＣ＝送信データＢ×特定の数値）したデータである場合には、逆変換処理部３２３ａは、送信データＣを上記特定の数値で除算（｛送信データＣ＝送信データＢ×特定の数値｝／特定の数値＝送信データＢ）し、一つ前の送信データＢに戻す（送信データＣを送信データＢに逆変換）。
【００７５】
最初に用いる逆変換情報（β）を用いて送信データＢに戻した逆変換処理部３２３ａは、図９に示す逆変換情報テーブルの中から、二回目に用いる逆変換情報（α）を読み出す。ここで、第一変換情報テーブル記憶部３１９に第一変換情報（α）が記憶される場合には、その第一変換情報（α）とは逆の情報である「二回目に用いる逆変換情報（α）」が逆変換情報テーブルに記憶される。
【００７６】
上記二回目に用いる逆変換情報（α）を読み出した逆変換処理部３２３ａは、第一変換情報αとは逆の手順に従って、逆変換した後の送信データＢを一つ前の送信データＡに戻す。
【００７７】
例えば、第一変換情報αが、リモコン端末２００から送信された送信データＡ（上記最初のデータ）に特定の数値を加算するための情報であり、送信データＢが、その第一変換情報αに従って送信データＡから変換（送信データＢ＝送信データＡ＋特定の数値）されたデータである場合には、逆変換処理部３２３ａは、逆変換情報（β）により逆変換した後の送信データＢを、第一変換情報αに従って加算した特定の数値で減算（｛送信データＢ＝送信データＡ＋特定の数値｝−特定の数値＝送信データＡ）し、一つ前の送信データＡ（最初の送信データＡ；第一要求データ）に戻す。
【００７８】
適正データ判断部３２３ｂは、逆変換処理部３２３ａで戻された第一要求データ（例えば、送信データＡ）が予め記憶された基準判断情報（基準データ）（例えば、送信データＡ）と一致している場合には、リモコン端末２００から受信した三要求データ（例えば、送信データＣ）が適正な要求データであると判断する適正データ判断手段である。ここで、基準判断情報は、本実施形態では、第一要求データを特定するための基準データを意味する。この基準判断情報は、ＲＯＭ３１５に記憶されている。
【００７９】
内部処理実行部３２４は、適正データ判断部３２３ｂで第三要求データ（例えば、送信データＣ）が適正な要求データであると判断された場合には、第一要求データ（例えば、最初に送信された送信データＡ）に対応する内部処理を実行する内部処理実行手段である。
【００８０】
具体的には、送信データＣが適正な要求データであると判断した適正データ判断部３２３ｂは、例えば最初の送信データＡ（遊技媒体貸出装置３００に配設された鍵の施錠を解除させるためのコマンド）を内部処理実行部３２４に出力する。この内部処理実行部３２４は、適正データ判断部３２３ｂから入力された送信データＡに基づいて内部処理を実行する。
【００８１】
ここで、内部処理には、リモコン端末２００からの要求に応じて、遊技媒体貸出装置３００の正面側に設けられた扉の施錠／解除を施錠部３１７で実行させるための処理、遊技媒体貸出装置３００の内部を初期状態に戻させるためのリセット処理、内部におけるエラー状態を回復させるための処理、又は貨幣投入検知センサ３１０，カード検知センサ３１１，紙幣識別機３１２，カードリードライタ３１３若しくはスピーカー３１８等の処理を有効化させる処理が含まれる。なお、内部処理には、貨幣等の投入により、遊技機４００における遊技に使用する遊技媒体（例えば、パチンコ球、メダル）の貸出を行わせる処理等が含まれてもよい。
【００８２】
（遊技媒体貸出装置を用いた遊技媒体貸出装置制御方法）
上記構成を有する遊技媒体貸出装置による遊技媒体貸出装置制御方法は、以下の手順により実施することができる。図１０は、本実施形態に係る遊技媒体貸出装置制御方法の手順を示す図である。
【００８３】
図１０に示すように、リモコン端末２００は、操作部２０４からの指示により、例えば、送信情報”００”と送信データＡとを含むリモコン端末情報をデータ送受信部３１４に送信する（Ｓ１０１）。ここで、送信情報”００”は、上記の如く、リモコン端末２００から遊技媒体貸出装置３００に送信される最初の送信データＡに付加されるものである。
【００８４】
このデータ送受信部３１４が、リモコン端末２００から送信された送信情報”００”及び送信データＡを含むリモコン端末情報を受信した場合には、第一変換処理部３２２は、その送信情報”００”に対応付けられた第一変換情報（α）を、第一変換情報テーブルの中から読み出す。
【００８５】
この第一変換情報（α）を読み出した第一変換処理部３２２は、読み出した第一変換情報（α）に従って、受信された上記送信データＡを送信データＢに変換する（Ｓ１０２）。具体的には、第一変換情報（α）が、リモコン端末２００から送信された送信データＡ（上記最初のデータ）に特定の数値を加算するための情報である場合には、第一変換処理部３２２は、受信された上記送信データＡに特定の数値を加算し、加算した後の送信データを送信データＢとする。
【００８６】
この送信データＢに変換した第二変換処理部２０２ａは、図６（ｂ）に示すように、遊技媒体貸出装置情報における送信情報の箇所を”０１”（二番目の送信処理であることを示すフラグ）に設定する（Ｓ１０３）。データ送受信部２０１は、設定された送信情報”０１”と変換された送信データＢとを遊技媒体貸出装置情報として該当するリモコン端末２００に送信する（Ｓ１０４）。
【００８７】
次いで、遊技媒体貸出装置３００から上記送信情報”０１”及び上記二番目の送信データＢがデータ送受信部２０１で受信された場合には、第二変換処理部２０２ａは、その送信情報”０１”に対応付けられた第二変換情報”例えば、β”を、第二変換情報テーブルの中から読み出す。
【００８８】
この第二変換情報”β”を読み出した第二変換処理部２０２ａは、読み出した第二変換情報”β”に従って、受信された上記二番目の送信データＢを異なる送信データＣに変換する（Ｓ１０５）。具体的には、第二変換情報”β”が、遊技媒体貸出装置３００から送信された送信データＢ（上記二番目のデータ）を特定の数値で乗算するための情報である場合には、第二変換処理部２０２ａは、データ送受信部２０１で受信された送信データＢを特定の数値で乗算し、乗算した後のデータを送信データＣとする。
【００８９】
この送信データＣに変換した第二変換処理部２０２ａは、図６（ａ）に示すように、リモコン端末情報における送信情報の箇所を”１０”（三番目の送信処理であることを示すフラグ）に設定する（Ｓ１０６）。データ送受信部２０１は、設定された送信情報”１０”と変換された送信データＣとをリモコン端末情報として該当する遊技媒体貸出装置３００に送信する（Ｓ１０７）。
【００９０】
次いで、リモコン端末２００からリモコン端末情報が受信された場合には、逆変換処理部３２３ａは、受信したリモコン端末情報に含まれる送信データＣに送信情報”１０”が付加されているか否かを確認する。この際、逆変換処理部３２３ａは、前に、第一変換処理部３２２で送信情報”０１”が送信データＢに付加されたか否かも確認する。
【００９１】
そして、送信情報”０１”及び送信情報”１０”のそれぞれが送信データＢ及び送信データＣに付加されていない場合には、逆変換処理部３２３ａは、第一変換処理部３２２及び第二変換処理部２０２ａで変換処理が行われていないと判断（Ｓ１０８における「ＮＯ」）し、内部処理を終了する。
【００９２】
一方、送信情報”０１”及び送信情報”１０”のそれぞれが送信データＢ及び送信データＣに付加されている場合には、逆変換処理部３２３ａは、第一変換処理部３２２及び第二変換処理部２０２ａで変換処理が行われたと判断する（Ｓ１０８における「ＹＥＳ」）。
【００９３】
この場合には、逆変換処理部３２３ａは、図９に示す逆変換テーブルの中から、「最初に用いる逆変換情報（β）」を読み出す。ここで、上記の如く、第二変換情報テーブル記憶部２０３に第二変換情報（β）が記憶される場合には、その第二変換情報（β）とは逆の情報である「最初に用いる逆変換情報（β）」が逆変換情報テーブルに記憶される。
【００９４】
この「最初に用いる逆変換情報（β）」を読み出した逆変換処理部３２３ａは、第二変換情報βとは逆の手順に従って、リモコン端末２００から送信された送信データＣ（第三要求データ）を一つ前の送信データＢに戻す（Ｓ１０９）。
【００９５】
具体的には、第二変換情報βが、遊技媒体貸出装置３００から送信された送信データＢ（上記二番目のデータ）を特定の数値で乗算するための情報であり、送信データＣが、その第二変換情報βに従って送信データＢから変換（送信データＣ＝送信データＢ×特定の数値）したデータである場合には、逆変換処理部３２３ａは、その送信データＣを上記特定の数値で除算（｛送信データＣ＝送信データＢ×特定の数値｝／特定の数値＝送信データＢ）し、一つ前の送信データＢに戻す。
【００９６】
最初に用いる逆変換情報（β）を用いて送信データＢに戻した逆変換処理部３２３ａは、図９に示す逆変換情報テーブルの中から、二回目に用いる逆変換情報（α）を読み出す。ここで、第一変換情報テーブル記憶部３１９に第一変換情報（α）が記憶される場合には、その第一変換情報（α）とは逆の情報である「二回目に用いる逆変換情報（α）」が逆変換情報テーブルに記憶される。
【００９７】
上記二回目に用いる逆変換情報（α）を読み出した逆変換処理部３２３ａは、第一変換情報αとは逆の手順に従って、逆変換した後の送信データＢを一つ前の送信データＡに戻す（Ｓ１０９）。
【００９８】
次いで、適正データ判断部３２３ｂは、リモコン端末２００から受信した送信データＣが適正なものであるか否か判断する（Ｓ１１０）。具体的には、逆変換処理部３２３ａで戻された送信データＡが予め記憶された基準判断情報（例えば、送信データＡ）と一致していない場合には、適正データ判断部３２３ｂは、リモコン端末２００から受信した送信データＣが適正な要求データでないと判断する（Ｓ１１０における「ＮＯ」）。この場合には、適正データ判断部３２３ｂは、内部処理を終了する。
【００９９】
一方、逆変換処理部３２３ａで戻された送信データＡが予め記憶された基準判断情報（例えば、送信データＡ）と一致している場合には、適正データ判断部３２３ｂは、リモコン端末２００から受信した送信データＣが適正な要求データであると判断する（Ｓ１１０における「ＹＥＳ」）。
【０１００】
この場合には、適正データ判断部３２３ｂは、適正な要求データであると判断した送信データＡを内部処理実行部３２４に出力する。この適正データ判断部３２３ｂから送信データＡが入力された内部処理実行部３２４は、入力された送信データＡに対応する内部処理（鍵の施錠・解除又は初期状態へリセットさせる処理）を実行する。
【０１０１】
（遊技媒体貸出装置及び遊技媒体貸出装置制御方法による作用及び効果）
このような本願に係る発明によれば、リモコン端末２００から受信した送信データＡを送信データＢに変換する第一変換処理部３２２と、リモコン端末２００が、第一変換処理部３２２で変換された送信データＢを送信データＣに変換した場合には、送信データＣが適正な要求データであるか否かを判断する判断部３２３と、判断部３２３で送信データＣが適正な要求データであると判断された場合には、送信データに対応する内部処理を実行する内部処理実行部３２４とが備えられたため、不正に作製されたリモコン端末からのデータに基づく処理を実行しないようにすることができる。また、遊技媒体貸出装置３００は、遊技媒体貸出装置３００のリモート操作を行う操作者の使い勝手を変えることなく、高いセキュリティを図ることができる。
【０１０２】
また、第一変換処理部３２２及び第二変換処理部２０２ａで変換処理が行われた場合には、その変換処理と逆の処理を行うことにより、リモコン端末２００から受信した送信データＣを送信データＡに戻す逆変換処理部３２３ａと、逆変換処理部３２３ａで戻された送信データＡが基準判断情報と一致する場合には、送信データＣが適正な要求データであると判断する適正データ判断部３２３ｂとが備えられたため、不正に作製されたリモコン端末２００からの不正なデータに基づく処理をより確実に実行しないようにすることができる。
【０１０３】
すなわち、送信データＣが不正な端末にコピーされた場合であっても、第一変換処理部３２２及び第二変換処理部２０２ａで上記変換処理が未だ行われていなければ、逆変換処理部３２３ａは、その送信データＣを元の送信データＡに戻さない。この場合、適正データ判断部３２３ｂは、その送信データＣを適正な要求データであると判断しない。この結果、内部処理実行部３２４は、不正な送信データＣに基づいて該当する内部処理を行わないようにすることができ、更にセキュリティを向上させることができる。
【０１０４】
（変更例）
なお、本発明は上記実施形態に限定されるものではなく、下記に示す変更を加えることができる。すなわち、リモコン端末２００から第一要求データ（例えば、最初に送信された送信データＡ）が受信された時から所定の基準時間内に、リモコン端末２００から受信された第三要求データ（例えば、三番目に送信された送信データＣ）が、予め記憶された基準判断情報と一致する第一要求データに第一変換処理部３２２で戻された場合には、適正データ判断部３２３ｂは、第三要求データが適正な要求データであると判断してもよい。図１１は、適正データ判断部３２３ｂで管理する基準時間の内容を示す図である。この基準時間は、図１１に示すように、１［ｓ］等が挙げられる。
【０１０５】
上記構成を有する遊技媒体貸出装置３００による遊技媒体貸出装置制御方法は、以下の手順により実施することができる。図１２は、本変更例による遊技媒体貸出装置制御方法の手順を示す図である。図１３に示す「Ｓ２０１〜Ｓ２０８」は、上述した図１０に示す「Ｓ１０１〜Ｓ１０８」と同様であるため、ここでの詳細は省略する。したがって、以下ではＳ２０９からの処理を説明する。
【０１０６】
Ｓ２０９では、適正データ判断部３２３ｂは、リモコン端末２００から送信データ（例えば、最初に送信された送信データＡ）が受信された時から所定の基準時間内であるか否かを確認する。なお、適正データ判断部３２３ｂは、送信データＡ又は送信データＢがそれぞれデータ送受信部３１４又はデータ送受信部２０１で送受信された時から、上記基準時間を計測してもよい。
【０１０７】
もし、適正データ判断部３２３ｂは、その送信データＡが受信された時から所定の基準時間が経過したと判断した場合には、内部処理を終了する（Ｓ２０９における「ＹＥＳ」）。
【０１０８】
一方、上記所定の基準時間が経過していない場合には、次に適正データ判断部３２３ｂは、リモコン端末２００から受信された送信データＣ（例えば、三番目に送信された送信データ）が、予め記憶された基準判断情報と一致する要求データに逆変換処理部３２３ａで戻されたか否かを確認する（Ｓ２１０）。もし、その送信データＣが、予め記憶された基準判断情報と一致する要求データに戻されていない場合には、適正データ判断部３２３ｂは、処理を終了する（Ｓ２１０における「ＮＯ」）。
【０１０９】
一方、リモコン端末２００から受信された送信データＣが、予め記憶された基準判断情報と一致する第一要求データに戻された場合には、適正データ判断部３２３ｂは、その送信データＣを適正な要求データであると判断する。
【０１１０】
この場合には、適正データ判断部３２３ｂは、適正な要求データであると判断した送信データＡを内部処理実行部３２４に出力する。この適正データ判断部３２３ｂから送信データＡが入力された内部処理実行部３２４は、入力された送信データＡに対応する内部処理（鍵の施錠・解除又は初期状態へリセットさせる処理等）を実行する（Ｓ２１２）。
【０１１１】
これにより、リモコン端末２００から最初の送信データＡが受信された時から所定の時間内（基準時間）に、リモコン端末２００から受信された三番目の送信データＣが、予め記憶された基準判断情報と一致する要求データに逆変換処理部３２３ａで戻された場合（逆変換）には、適正データ判断部３２３ｂが、その送信データＣを適正な要求データであると判断するため、内部処理実行部３２４は、所定の時間内に、基準判断情報と一致する要求データに逆変換されない送信データＣに基づく内部処理を実行しないようにすることができる。
【０１１２】
また、送信データＡ又は送信データＢがそれぞれデータ送受信部３１４又はデータ送受信部２０１で送受信された際に、上記基準時間が適正データ判断部３２３ｂで計測される。このため、基準時間が適正データ判断部３２３ｂで計測されていないということは、送信データＡ又は送信データＢの送受信がデータ送受信部３１４とデータ送受信部２０１との間で適正に行われていないことを意味する。したがって、基準時間が適正データ判断部３２３ｂで計測されているか否かを確認することにより、管理者は送信データＡ又は送信データＢの送受信が適正に行われているか否かを容易にチェックすることができる。
【０１１３】
この結果、三番目の送信データＣが不正なリモコン端末２００にコピーされたとしても、そのコピーされた時から所定の時間が経過している場合には、内部処理実行部３２４は、その不正な送信データＣに基づく内部処理を各部に実行させないようにすることができ、更にセキュリティを向上させることができる。
【０１１４】
なお、適正データ判断部３２３ｂは、所定の時刻が経過した場合には、上記基準時間を異なる基準時間に更新してもよい。具体的に、適正データ判断部３２３ｂは、図１３に示すように、所定の時刻が経過した場合には、現在の基準時間（例えば、１［ｓ］）を異なる基準時間（例えば、０．５［ｓ］）に更新する。  これにより、例えば、適正データ判断部３２３ｂで更新された短い基準時間内に、送信データＣが適正なデータであると判断されない場合には、内部処理実行部３２４は、その送信データＣに基づく内部処理を該当する各部に実行させない。この結果、内部処理実行部３２４は、更にセキュリティを向上させることができる。
【０１１５】
なお、逆変換処理部３２３ａは、第三要求データの桁数が所定の基準桁数（例えば、第一要求データの桁数）を越えているときに、第一変換処理部３２２及び第二変換処理部２０２ａで行われた変換処理と逆の処理を行うことにより、リモコン端末２００から受信した第三要求データを第一要求データに戻してもよい。
【０１１６】
なお、上記基準時間に限定されるものではなく、例えば、送信データＡ又は送信データＢが予め設定した該当するリモコン端末２００又は遊技媒体貸出装置３００から送受信され、且つリモコン端末２００から受信された第三要求データ（例えば、三番目に送信された送信データＣ）が、予め記憶された基準判断情報と一致する第一要求データに第一変換処理部３２２で戻された場合には、適正データ判断部３２３ｂは、第三要求データが適正な要求データであると判断してもよい。
【０１１７】
なお、要求データには、リモコン端末２００又は遊技媒体貸出装置３００を特定するためのＩＤコード、又は要求データの送信時間が含まれてもよい。これにより、適正データ判断部３２３ｂは、上記ＩＤコード又は送信データの正当性をも含めて、送信された要求データが適正か否かを判断することができ、更にセキュリティーを向上させることができる。
【０１１８】
【発明の効果】
以上説明したように本発明によれば、不正にコピーされた送信データを受け付けないようにすることができ、セキュリティを向上させることができる。
【図面の簡単な説明】
【図１】本実施形態における遊技機台島の前面を示す図である
【図２】本実施形態におけるリモコン端末を示す外観図である。
【図３】本実施形態における遊技機を示す斜視図である。
【図４】本実施形態における遊技媒体貸出装置を示す斜視図である。
【図５】本実施形態におけるリモコン端末及び遊技媒体貸出装置の内部構造を示す図である。
【図６】本実施形態におけるリモコン端末情報及び遊技媒体貸出装置情報の内容を示す図である。
【図７】本実施形態における第一変換情報テーブルの内容を示す図である。
【図８】本実施形態における第二変換情報テーブルの内容を示す図である。
【図９】本実施形態における逆変換情報テーブルの内容を示す図である。
【図１０】本実施形態における遊技媒体貸出装置制御方法を示す図である。
【図１１】本変更例における基準時間の内容を示す図である（その一）。
【図１２】本変更例における遊技媒体貸出装置制御方法を示す図である。
【図１３】本変更例における基準時間の内容を示す図である（その二）。
【符号の説明】
１…遊技機台島、１０…遊技媒体貸出装置、２００…リモコン端末、２０１…データ送受信部、２０２…ＣＰＵ、２０２ａ…第二変換処理部、２０３…第二変換情報テーブル記憶部、２０４…操作部、２０４ａ…ボタン、２０４ｂ…送信開始ボタン、２０４ｃ…ダイヤル、２０４ｄ…窓、２０４ｅ…送信開始ボタン、２０５…送信データ記憶部、３００…遊技媒体貸出装置、３０１…警告ランプ、３０２…エラー表示ランプ、３０３…硬貨投入口、３０５…硬貨返却口、３０６…通信用窓、３０７…紙幣挿入・返却口、３０８…カード挿入・返却口、３０９…リセット鍵部、３１０…貨幣投入検知センサ、３１１…カード投入検知センサ、３１２…紙幣識別機、３１３…カードリードライタ、３１４…データ送受信部、３１５…ＲＯＭ、３１６…ＲＡＭ、３１７…施錠部、３１８…スピーカ、３１９…第一変換情報テーブル記憶部、３２０…逆変換情報テーブル記憶部、３２１…ＣＰＵ、３２２…第一変換処理部、３２３…判断部、３２３ａ…逆変換処理部、３２３ｂ…適正データ判断部、３２４…内部処理実行部
【図１】
2004329366.tif 000003
【図２】
2004329366.tif 000004
【図３】
2004329366.tif 000005
【図４】
2004329366.tif 000006
【図５】
2004329366.tif 000007
【図６】
2004329366.tif 000008
【図７】
2004329366.tif 000009
【図８】
2004329366.tif 000010
【図９】
2004329366.tif 000011
【図１０】
2004329366.tif 000012
【図１１】
2004329366.tif 000013
【図１２】
2004329366.tif 000014
【図１３】
2004329366.tif 000015